(57)【要約】【課題】電磁干渉を受けない遠隔操作可能な温度切替え装置を開発すること。【解決手段】本発明は産業用プロセスの遠隔温度監視及び遠隔温度切替えのための信頼でき、耐久性があり、費用効率が高く、且つインサイチュ温度切替式光ファイバー浸漬プローブを提供する。本発明はまた温度の遠隔計測のための方法をも提供する。本発明の装置は、化学物質を含み且つその融点で光のレベルの変化を生ずるセルと光ファイバーとを併用する。該セルは室温で光を通さないが所定のより高温では透過になり、リレー作動により該加熱工程を停止したり又は警報を出すことができる。本装置にガイドされる電気信号は無い。光ファイバーを通ってガイドされるのは光信号だけであり、電気信号の存在により影響されない。
2005521049.tif 000002
【特許請求の範囲】
【請求項１】
温度を遠隔計測するための強度変調型温度切替式光ファイバー浸漬プローブであって、
（ａ）金属製末端キャップ（１）で終っている耐破壊性の金属製スリーブ（８）に包まれたＹ字型光ファイバー束の光導体、
（ｂ）光源アーム（２）、検出器アーム（１０）、Ｙカプラー（３）、共通アーム（９）及び共通末端キャップ（４）を有するＹ導体であって、照明するファイバーの画像がミラーによって受容ファイバーの上に形成されるように半分が伝播ファイバー半分が受容ファイバーから構成されるＹ導体、
（ｃ）該光源アームに連結された白色の光源、
（ｄ）該検出器アームと整列した光検出器、
（ｅ）該金属製スリーブの共通末端キャップ（４）にはめ込まれたＹ導体、
（ｆ）温度を計測する手段としてＹ導体の共通末端に取り付けられ且つ化学物質を含む真空セル（６）、
（ｇ）底部表面の外側の上に反射性の被覆を有し凹面鏡を形成するセル、その焦点距離は該セルの長さの半分に等しい、
（ｈ）該セルは上側をガラスプレート（５）で覆われる、
（ｉ）該セルは更に金属製リング（７）により該金属製スリーブに結合され接続される、並びに
（ｊ）電気信号を処理するためのパワーメーター
を含む装置。
【請求項２】
該光ファイバーが、非腐食性、耐久性で且ついかなる電磁干渉（ＥＭＩ）及びＲＦＩにも影響されない誘電物質から作られるものである、請求項１記載の装置。
【請求項３】
光検出器に接続されている検出器アームが信号処理電子回路及び出力表示に連結されているものである、請求項１記載の装置。
【請求項４】
使用される化学物質がその融点で固相から液相へ相転移するものである、請求項１記載の装置。
【請求項５】
該化学物質が、シュウ酸、塩化ナトリウム、パラフィン・ワックス及び好ましくはアセトアミドから選択されるものである、請求項１記載の装置。
【請求項６】
該化学物質が事実上無毒性、非腐食性、非伝導性及び非誘導性であり不燃性である、請求項１記載の装置。
【請求項７】
固体状態の該化学物質が光を通さず固定値の光出力を放ち、温度が上昇するにつれ該化学物質が融解し透明になるため、光出力が増大するものである、請求項１記載の装置。
【請求項８】
該化学物質の融点での相転移が、警報又はリレーを作動するための検出器信号として用いられる光出力を増大させるものである、請求項１記載の装置。
【請求項９】
該セルの外部表面上の該反射性被覆がアルミニウム被覆である、請求項１記載の装置。
【請求項１０】
該光信号伝搬が安全であり漏話又は干渉の問題が全くないものである、請求項１記載の装置。
【請求項１１】
該光信号が電気信号の存在により影響されないものである、請求項１記載の装置。
【請求項１２】
該プローブが１ｋｍの距離まで温度を遠隔計測するために使用されるものである、請求項１記載の装置。
【請求項１３】
高温での該プローブが室温での該信号の６倍の出力信号の増加をもたらすものである、請求項１記載の装置。
【請求項１４】
化学物質の融点が７５〜８５℃の範囲内にある場合に該光プローブが作動するものである、請求項１記載の装置。
【請求項１５】
該光プローブが、不都合な、可燃性の、腐食性の、そして電磁雑音のある環境において、好ましくは石油化学産業及び発電所において、温度を監視する際に使用されるものである、請求項記載の装置。
【請求項１６】
強度変調型且つ遠隔計測型の温度切替式光ファイバー浸漬プローブを用いて光信号の強度変調により温度を計測する方法であって、
（ａ）該化学物質の融点より低い温度の液体容器に該プローブを浸漬する工程、
（ｂ）室温で固体状態の該化学物質により形成される光信号の固定値を記録する工程、
（ｃ）その融点で液相の該化学物質により形成される最大光信号を検出する工程、
（ｄ）光検出器を用いて該光信号を検出する工程、
（ｅ）電子回路により信号を処理する工程、及び
（ｆ）リレーの作動により該加熱工程を停止し又は警報を出すことを可能にする工程、
を含む方法。
【請求項１７】
該液体が、水、アセトン、四塩化炭素及び変圧器油より成る群から選択されるものである、請求項１８記載の方法。
【請求項１８】
該化学物質が、シュウ酸、塩化ナトリウム、パラフィン・ワックス及び好ましくはアセトアミドから選択されるものである、請求項１８記載の方法。
【請求項１９】
該化学物質が７５〜８５℃の範囲に融点を有するものである、請求項１８記載の方法。
【請求項２０】
該光信号伝搬が安全であり、漏話又は干渉の問題が全く無いものである、請求項１８記載の方法。
【請求項２１】
該光信号が電気信号の存在に影響されないものである、請求項１８記載の方法。
【請求項２２】
該プローブが１ｋｍの距離まで遠隔計測するために使用されるものである、請求項１８記載の方法。
【請求項２３】
高温での該プローブが室温での該信号の６倍の出力信号の増加をもたらすものである、請求項１８記載の方法。
【請求項２４】
室温で不透明な該化学物質が、リレーの作動により該加熱工程を停止させ又は警報を出すことを可能とする所与の高温で透明になるものである、請求項１８記載の方法。
【発明の詳細な説明】
【技術分野】
【０００１】
本発明は産業プロセスの温度の遠隔監視及び遠隔切替のための強度変調型温度切替式光ファイバー浸漬プローブに関する。本発明は温度の遠隔計測方法も提供する。
【背景技術】
【０００２】
従来、温度計、熱電対及び高温計は温度を測定し制御するために使用されているが、これらは不都合な、腐食性で電磁雑音のある環境に影響される。本プローブについての新規性は、化学物質を含み且つその融点で光のレベルの変化を生ずるセルと光ファイバーとを併用することにある。この組み合わせ方は上記の問題を効果的に克服し、遠隔監視という更なる利点をも提供する。該セルは室温で光を通さないが所定のより高温では透過になり、リレー作動により該加熱工程を停止したり又は警報を出すことができる。本プローブにガイドされる電気信号は無い。光ファイバーを通ってガイドされるのは光信号だけであり、電気信号の存在により影響されない。
【特許文献１】記載なし。
【非特許文献１】記載なし。
【発明の開示】
【発明が解決しようとする課題】
【０００３】
本発明の主な目的は、信頼でき、耐久性があり、費用効率が高く、且つインサイチュ温度切替式光ファイバー浸漬プローブを提供することであり、これは上に詳述したような従来の温度プローブにある欠点の殆どを克服している。
【０００４】
本発明の別の一目的はこの浸漬プローブを用いた温度の遠隔計測方法を提供することである。
【０００５】
本発明の更なる目的は、無毒性、無誘導性、非伝導性及び非腐食性の化学物質を含む温度を遠隔計測するための浸漬プローブを提供することである。
【０００６】
本発明の更なる別の一目的は過酷な労働条件において温度を遠隔計測するための浸漬プローブを提供することである。
【課題を解決するための手段】
【０００７】
発明の概要
本発明は産業プロセスの温度の遠隔監視及び遠隔切替のための強度変調型温度切替式光ファイバー浸漬プローブに関する。本発明は温度の遠隔計測方法をも提供する。本発明は、化学物質の融点が該装置の切替方式を決定する方法を採用する。
【０００８】
発明の詳細な説明
従って、本発明は温度を遠隔計測するための強度変調型温度切替式光ファイバー浸漬プローブであって、
（ａ）金属製末端キャップ（１）で終っている金属製スリーブ（８）に包まれたＹ字型光ファイバー光導体、
（ｂ）光源(source)アーム（２）、検出器アーム（１０）、Ｙカプラー（３）、共通アーム（９）及び共通末端キャップ（４）を有するＹ導体、
（ｃ）該光源アームに連結された光源、
（ｄ）該検出器アームと整列した光検出器、
（ｅ）該金属製スリーブの共通末端キャップ（４）にはめ込まれたＹ導体、
（ｆ）温度を計測する手段としてＹ導体の共通末端に取り付けられている化学物質を含む真空セル（６）、
（ｇ）底部表面の外側にアルミニウム被覆を有し凹面鏡を形成するセル、
（ｈ）上側をガラスプレート（５）で被覆されるセル、
（ｉ）更に金属製リング（７）により該金属製スリーブに結合され接続されるセル、並びに
（ｊ）電気信号を処理するためのパワーメーター
を含む装置を提供する
【０００９】
本発明の一実施態様では、該Ｙ字型光導体は耐破壊性金属スリーブに包まれている。
【００１０】
本発明の更なる別の一実施態様では、該光ファイバーは、非腐食性、耐久性で且ついかなる電磁干渉（ＥＭＩ）やＲＦＩにも影響されない誘電物質から作られる。
【００１１】
本発明の更なる別の一実施態様では、該光源は白色光である。
【００１２】
本発明の更に別の一実施態様では、光検出器に接続された検出器アームは信号処理電子回路及び出力表示に接続される。
【００１３】
本発明の更に別の一実施態様では、使用される化学物質はその融点で固相から液相へ相転移する。
【００１４】
本発明の更に別の一実施態様では、該化学物質は、シュウ酸、塩化ナトリウム、パラフィン・ワックス及び好ましくはアセトアミドから選択される。
【００１５】
本発明の更なる実施態様では、該化学物質は無毒性、非腐食性及び不燃性である。
【００１６】
本発明の更に別の一実施態様では、固体状態の該化学物質は光を通さずそして固定値の光出力を放つ。温度が上昇すると、該化学物質は融解し透明になるため、光出力は増大する。
【００１７】
本発明の更に別の一実施態様では、該化学物質の融点での相転移は、警報又はリレーを作動するための検出器信号として用いられる光出力を増大させる。
【００１８】
本発明の更なる実施態様では、該セルの長さは該凹面鏡の焦点距離の２倍である。
【００１９】
本発明の更に別の一実施態様では、光信号伝搬は安全であり漏話又は干渉の問題は全くない。
【００２０】
本発明の更に別の一実施態様では、該光信号は電気信号の存在に影響されない。
【００２１】
本発明の更に別の一実施態様では、該プローブは温度を遠隔計測するために１ｋｍの距離まで使用される。
【００２２】
本発明の更なる実施態様では、高温での該プローブは室温での該信号の６倍の出力信号の増加をもたらす。
【００２３】
本発明の更に別の一実施態様では、該光プローブは化学物質の融点が７５〜８５℃の範囲内にある場合に作動する。
【００２４】
本発明の更なる実施態様では、該光プローブは、不都合な、可燃性、腐食性、及び電磁雑音のある環境において、好ましくは石油化学産業及び発電所において、温度を監視する際に使用される。
【００２５】
本発明は強度変調型且つ遠隔計測型の温度切替式光ファイバー浸漬プローブを用いて光信号の強度変調により温度を計測する方法であって、
（ａ）該化学物質の融点より低い温度の液体容器に該プローブを浸漬する工程、
（ｂ）室温で固体状態の該化学物質により形成される光信号の固定値を記録する工程、
（ｃ）その融点で液相の該化学物質により形成される最大光信号を検出する工程、
（ｄ）光検出器を用いて該光信号を検出する工程、
（ｅ）電子回路により信号を処理する工程、及び
（ｆ）リレーの作動により該加熱工程を停止し又は警報を出すことを可能とする工程
を含む方法をも提供する。
【００２６】
本発明方法の一実施態様では、該液体は、水、アセトン、四塩化炭素及び変圧器油より成る群から選択される。
【００２７】
本発明方法の別の一実施態様では、該化学物質は、シュウ酸、塩化ナトリウム、パラフィン・ワックス及び好ましくはアセトアミドから選択される。
【００２８】
本発明方法の更に別の一実施態様では、該化学物質は７５〜８５℃の範囲に融点を有する。
【００２９】
本発明方法の更に別の一実施態様では、該光信号伝搬は安全であり漏話又は干渉の問題が全くない。
【００３０】
本発明方法の更に別の一実施態様では、該光信号は電気信号の存在に影響されない。
【００３１】
本発明方法の更に別の一実施態様では、該プローブは１ｋｍの距離まで遠隔計測するために使用される。
【００３２】
本発明方法の更に別の一実施態様では、高温での該プローブは室温での該信号の６倍の出力信号の増加をもたらす。
【００３３】
本発明方法の更に別の一実施態様では、室温で不透明な該化学物質は所定のより高い温度で透明になり、リレーの作動により該加熱工程を停止し又は警報を出すことを可能とする。
【発明の効果】
【００３４】
１．環境が不良で電気雑音がある産業プロセスへの適用のために機能できる。
２．温度を遠隔で監視でき、処理は自動で行える。
３．低価格で耐久性のある装置。
４．該浸漬プローブは単純で有用な装置であり、遠隔地からのインサイチュ温度切替適用のために過酷な環境で使用できる。
【発明を実施するための最良の形態】
【００３５】
本発明では、温度切替式光ファイバー・プローブはＹ字型光ファイバー光導体及び特殊な化学物質を含む小さなセルを含んで成る。該化学物質はその融点で固相から液相へ相転移する。該セルはその下側に凹面鏡を有し上側にガラスプレートを有する。このプローブ用に同定し実験した化学物質は７８〜７９℃の温度で相変化する。少量の化学物質をまずセル内に移し、次にセルを真空にし適切に密閉する。該セルを更に金属チューブに結合し、該チューブを該Ｙ導体の共通末端キャップに堅くはめ込む。金属製リングは該セルを該金属チューブに連結するために用いられる。該Ｙ導体は、光源アーム及び検出器アームと呼ばれる二つのアームを有する。白色光源は該光源アームに連結し、一方、該検出器アームはＰＩＮ光検出器に整列させる。該電気信号はパワーメーターにより処理され表示される。
【００３６】
本発明の一つの実施態様では、温度切替式プローブ用のセルを実現するために適切な化学物質が同定され用いられた。例えば非腐食性、不燃性の適切な化学物質の同定次第で、異なる温度の切替プローブが実現できる。
【００３７】
本発明の別の一実施態様では、事実上非電導性且つ非誘導性の極めて耐久性のある物質である光学ガラスから作成される光ファイバー光導体が採用される。
【００３８】
該計測信号は該ファイバーによりガイドされる強度変調型の光の様式である。この信号の伝播は漏話又は干渉の問題が無く安全である。
【００３９】
該温度切替式光ファイバー・プローブは、国内生産(indigenously produce)され且つ耐破壊性金属スリーブ（その末端は適切に金属製末端キャップで終っている）に包まれたＹ字型光ファイバー光導体／束を含んで成る。粒状形態で市販されている化学物質の数グラムをまず清潔な条件下で真空乾燥し、次に薄壁のガラス試験管から作られたセルに移した。この試験管の底の曲面は凹面鏡となるように外側に反射性のアルミニウム被覆が施され、一方、上端は平らなガラス円盤で覆われる。結像特性を考慮して、該セルの長さは該凹面鏡の焦点距離の２倍になるように選択する。該セルを密閉するために適切な接着密封が施される。
【００４０】
金属製リングを用いて、該セルを該Ｙ導体の共通末端キャップ上に堅く連結し、この状態で該共通末端を該セルの最上部のガラスカバー上に置く。
【００４１】
該プローブを該化学物質の融点より低い温度で液体容器に浸漬すると、該検出器信号は固定値である。該化学物質は該温度が約７８〜７９℃に達するにつれ融解し始めるため、より多くの光が該検出器に到達し、その結果出力信号の増大が生ずる。これは該化学物質が完全に融解し、該検出器信号が最大値に達するまで続く。これは８３℃で起こる。該プローブは通常室温状態と比較して出力信号の６倍の増加を示す。得られる光信号のレベルに対応したこの範囲（７５〜８５℃）内の任意の特定値の温度で、警報信号を発生させうるであろうし或いは該液体／溶媒の更なる加熱を停止するようにそのプロセスを自動的に停止できる。従って、該プローブは、例えばこの範囲の温度の任意の値で更なる加熱から該プロセスを停止させるための、温度スイッチとして使用できる。
【００４２】
該プローブは光信号の強度変調により温度の計測を容易にする。この変調プロセスは不都合な電気雑音のある環境に影響されないが、先行技術はこの免疫又は保護を獲得するためにいずれも適切に遮断されなければならない。これは光ファイバーが誘電物質から作られるためであり。従って、本発明の光ファイバーは事実上非誘導性及び非伝導性の両方であることによりＥＭＩ／ＲＦＩに対する免疫がもたらされる。また、該ファイバーがそれから作られる基本原料の光学ガラスは非常に耐久性があり種々の適用分野において遭遇する厳しい腐食性の環境に効果的に耐える。
【００４３】
該プローブの末端がその温度を監視することになる液体に浸されると、該検出器に到達する光信号は該セル媒体の光に対する透明性に応じて変化する。該温度が上昇するにつれ、該化学物質はある点を超えて融解し始め、光に対する透明性が急速に増すため、該検出器信号が増大する。ある段階で、全化学物質が融解した時、該信号はその最大値に到達する。このレベルの信号は警報を出すために又はその最大値の温度でリレー／スイッチを作動させてプロセスを停止若しくは開始させるために用いることができるので、温度切替プローブとして機能する。
【００４４】
この温度切替プローブは水や、アセトン、四塩化炭素、変圧器油などの他の溶媒に浸すことによりそれらの温度を監視するために実験室で実験された。水及び他の液体の温度は水銀温度計を用いて記録される。１℃以内で温度と光出力に一貫性及び再現性があった。
【００４５】
このプローブは産業においてプロセスの開始／停止用に有益に使用されうる。該プロセスの監視は束になった光ファイバー・アームの長さを延長することにより遠隔で実施できる。これは非常に耐久性があり費用効果の高い装置であり得る。該プロセス監視操作は自動で行なうことができる。
【００４６】
本プローブと従来の温度測定技術／プローブの比較を以下に示す。
【００４７】
【表１】
2005521049.tif 000003
【図面の簡単な説明】
【００４８】
【図１】温度切替式光ファイバー浸漬プローブの構造を示す図である。これは基本的にＹ字型光ファイバー束及び化学物質を含む薄壁ガラス試験管から成る小さなセルを含んで成る。該試験管の底部表面は凹面鏡となるように外側に保護用且つ反射性のアルミニウム被覆が施されている。該Ｙ字型光ファイバー束は、二つのアーム、即ち光源アーム及び検出器アームを含む。白色光源は適切な光学系を採用する光源アームに連結する一方、他方のアームはＰＩＮ光検出器と整列する。
【符号の説明】
【００４９】
１    該光源と連結するための末端キャップ
２    光源アーム
３    Ｙカプラー
４    該ファイバー束の共通末端キャップ
５    薄壁ガラスセルの底部表面の外側の反射性被覆
６    化学物質を含むセル
７    該共通末端キャップにセルを連結するための金属製リング
８    該共通末端キャップと堅く適合する金属製チューブ
９    共通アーム
１０    検出器アーム
【図１】
2005521049.tif 000004
【手続補正書】
【提出日】平成16年3月25日(2004.3.25)
【手続補正１】
【補正対象書類名】特許請求の範囲
【補正対象項目名】全文
【補正方法】変更
【補正の内容】
【特許請求の範囲】
【請求項１】
温度を遠隔計測するための強度変調型温度切替式光ファイバー浸漬プローブであって、
（ａ）金属製末端キャップ（１）で終っている耐破壊性の金属製スリーブ（８）に包まれたＹ字型光ファイバー束の光導体、
（ｂ）光源アーム（２）、検出器アーム（１０）、Ｙカプラー（３）、共通アーム（９）及び共通末端キャップ（４）を有するＹ導体であって、照明するファイバーの画像がミラーによって受容ファイバーの上に形成されるように半分が伝播ファイバー半分が受容ファイバーから構成されるＹ導体、
（ｃ）該光源アームに連結された白色の光源、
（ｄ）該検出器アームと整列した光検出器、
（ｅ）該金属製スリーブの共通末端キャップ（４）にはめ込まれたＹ導体、
（ｆ）温度を計測する手段としてＹ導体の共通末端に取り付けられ且つ化学物質を含む真空セル（６）、
（ｇ）底部表面の外側の上に反射性の被覆を有し凹面鏡を形成するセル、その焦点距離は該セルの長さの半分に等しい、
（ｈ）該セルは上側をガラスプレート（５）で覆われる、
（ｉ）該セルは更に金属製リング（７）により該金属製スリーブに結合され接続される、並びに
（ｊ）電気信号を処理するためのパワーメーター
を含む装置。
【請求項２】
該光ファイバーが、非腐食性、耐久性で且ついかなる電磁干渉（ＥＭＩ）及びＲＦＩにも影響されない誘電物質から作られるものである、請求項１記載の装置。
【請求項３】
光検出器に接続されている検出器アームが信号処理電子回路及び出力表示に連結されているものである、請求項１記載の装置。
【請求項４】
使用される化学物質がその融点で固相から液相へ相転移するものである、請求項１記載の装置。
【請求項５】
該化学物質が、シュウ酸、塩化ナトリウム、パラフィン・ワックス及び好ましくはアセトアミドから選択されるものである、請求項１記載の装置。
【請求項６】
該化学物質が事実上無毒性、非腐食性、非伝導性及び非誘導性であり不燃性である、請求項１記載の装置。
【請求項７】
固体状態の該化学物質が光を通さず固定値の光出力を放ち、温度が上昇するにつれ該化学物質が融解し透明になるため、光出力が増大するものである、請求項１記載の装置。
【請求項８】
該化学物質の融点での相転移が、警報又はリレーを作動するための検出器信号として用いられる光出力を増大させるものである、請求項１記載の装置。
【請求項９】
該セルの外部表面上の該反射性被覆がアルミニウム被覆である、請求項１記載の装置。
【請求項１０】
該光信号伝搬が安全であり漏話又は干渉の問題が全くないものである、請求項１記載の装置。
【請求項１１】
該光信号が電気信号の存在により影響されないものである、請求項１記載の装置。
【請求項１２】
該プローブが１ｋｍの距離まで温度を遠隔計測するために使用されるものである、請求項１記載の装置。
【請求項１３】
高温での該プローブが室温での該信号の６倍の出力信号の増加をもたらすものである、請求項１記載の装置。
【請求項１４】
化学物質の融点が７５〜８５℃の範囲内にある場合に該光プローブが作動するものである、請求項１記載の装置。
【請求項１５】
該光プローブが、不都合な、可燃性の、腐食性の、そして電磁雑音のある環境において、好ましくは石油化学産業及び発電所において、温度を監視する際に使用されるものである、請求項記載の装置。
【請求項１６】
請求項１〜請求項１５いずれか１項に記載の強度変調型の温度切替式光ファイバー浸漬プローブを用いて温度を遠隔計測する方法であって、
（ａ）該化学物質の融点より低い温度の液体容器に該プローブのセルを浸漬する工程、
（ｂ）白色光源から光検出器へ光を通過させる工程、
（ｃ）真空セル中で且つ室温で存在する固体状態の該化学物質により形成される光信号の固定値を記録する工程、
（ｄ）その融点で液相の該化学物質により形成される最大光信号を検出する工程、
（ｅ）光検出器を用いて該光信号を検出する工程、
（ｆ）電子回路により信号を処理する工程、及び
（ｇ）リレーの作動により該加熱工程を停止し又は警報を出すことを可能にする工程、
を含む方法。
【請求項１７】
光源から該検出器までの光の通過が、光源アームを通る光の伝播、セル中に含まれる化学物質の表面からの反射、及び検出器アームを通って検出器に至る反射した光波の移動を含むものである、請求項１６記載の方法。
【請求項１８】
該液体が、水、アセトン、四塩化炭素及び変圧器油より成る群から選択されるものである、請求項１６記載の方法。
【請求項１９】
該化学物質が、シュウ酸、塩化ナトリウム、パラフィン・ワックス及び好ましくはアセトアミドから選択されるものである、請求項１６記載の方法。
【請求項２０】
該化学物質が７５〜８５℃の範囲に融点を有するものである、請求項１６記載の方法。
【請求項２１】
該光信号伝搬が安全であり、漏話又は干渉の問題が全く無いものである、請求項１６記載の方法。
【請求項２２】
該光信号が電気信号の存在に影響されないものである、請求項１６記載の方法。
【請求項２３】
該プローブが１ｋｍの距離まで遠隔計測するために使用されるものである、請求項１６記載の方法。
【請求項２４】
高温での該プローブが室温での該信号の６倍の出力信号の増加をもたらすものである、請求項１６記載の方法。
【請求項２５】
室温で不透明な該化学物質が、リレーの作動により該加熱工程を停止させ又は警報を出すことを可能とする所与の高温で透明になるものである、請求項１６記載の方法。
【国際調査報告】
2005521049.tif 000005
2005521049.tif 000006
2005521049.tif 000007